(57)【要約】【課題】本発明は、簡単な構造で電子機器の取り付け作業が容易にできる機器収納キャビネット１を提供することを目的としている。【解決手段】本発明に係る機器収納キャビネット１は、背板５と天板６、底板とから構成される本体３に、前面板と左右側板とで構成されるカバー体４を取り付け、本体３の左右両端にはレール９を設け、カバー体４がレール９上を上下に摺動移動可能とし、カバー体４の開閉を行うことを特徴とし、作業性の向上を図る。【選択図】図１
2007329145.tif 000002
【特許請求の範囲】
【請求項１】
各種電子機器を収納する機器収納キャビネットであって、該機器収納キャビネットは、背板と天板、底板とから構成される本体に、前面板と左右側板とで構成されるカバー体を取り付け、前記本体の左右両端にはレールを設け、前記カバー体が前記レール上を上下に摺動移動可能とし、前記カバー体の開閉を行うことを特徴とする機器収納キャビネット。
【請求項２】
前記機器収納キャビネットにおいて、前記本体の天板端辺に引っ掛け部を、前記カバー体に引っ掛け突起を設けると共に、前記本体の左右両端部略中央に受け部を、前記カバー体に突片を設け、前記引っ掛け突起が前記引っ掛け部に係合し、前記突片が前記受け部に勘合することで、前記本体を前記カバー体で施蓋することを特徴とする請求項１に記載の機器収納キャビネット。
【発明の詳細な説明】
【技術分野】
【０００１】
本発明は、各種電子機器を収納する機器収納キャビネットに関するものである。
【背景技術】
【０００２】
従来の機器収納キャビネットは、図９に示すように、壁への設置面３１を囲う四辺には左右側面３２、天板３３、底面３４が設けられ、前面の開口３５は扉体３６で施蓋されていた。扉体３６は開口３５の左右側面３２近傍に蝶番３７により開閉可能に取り付けられていた。機器の収納方法は、機器収納キャビネットに設けられたアングル３８に機器を固定するものである。
【０００３】
また、壁への設置面を囲う四辺のうち三方に側板を設け、前面開口と側板を設けなかった部分の開口を扉体で施蓋する機器収納キャビネットがあった。扉体はスライド動作により開閉可能であった。
【特許文献１】実開平５−８２０８５号公報
【特許文献２】実開平６−４４７６４号公報
【特許文献３】特開２０００−３０７２５９号公報
【発明の開示】
【発明が解決しようとする課題】
【０００４】
しかしながら、上記従来技術における機器収納キャビネットに、電子機器を搭載する時、機器収納キャビネットの背板から前面の扉体に向かって複数のアングルを設け、このアングルに電子機器を固定していた。電子機器を設置する作業の際に、左右側板、天板、底板が作業の邪魔になる虞があった。また、扉体は前面側に開くため、機器収納キャビネットが高所に取り付けられている場合、作業がしにくいという欠点があった。扉体を開けるために機器収納キャビネットの前にもスペースが必要であった。
【課題を解決するための手段】
【０００５】
そこで本発明は、簡単な構造で電子機器の取り付け作業が容易にできる機器収納キャビネットを提供することを目的とし、その構造は、背板と天板、底板とから構成される本体に、前面板と左右側板とで構成されるカバー体を取り付け、本体の左右両端にはレールを設け、カバー体がレール上を上下に摺動移動可能とし、カバー体の開閉を行うことを特徴とする。
【０００６】
また、本体の天板端辺に引っ掛け部を、カバー体に引っ掛け突起を設けると共に、本体の左右両端部略中央に受け部を、カバー体に突片を設け、引っ掛け突起が引っ掛け部に係合し、突片が受け部に勘合することで、本体をカバー体で施蓋することを特徴とする。
【発明の効果】
【０００７】
本発明に係る機器収納キャビネットは、背板と天板、底板とから構成される本体に、前面板と左右側板とで構成されるカバー体を取り付け、本体の左右両端にはレールを設け、カバー体がレール上を上下に摺動移動可能とし、カバー体の開閉を行うため、カバー体を開放した状態では、左右側板がなく取り付け作業、配線作業等、施工がしやすくなる。カバー体は下方へ下げて開けるため壁面の天井付近にも設置が可能になる。カバー体はスライド動作により開放できるので、高所でもカバー体の開閉が楽にでき安全に作業できる。
【０００８】
また、本体の天板端辺に引っ掛け部を、カバー体に引っ掛け突起を設けると共に、本体の左右両端部略中央に受け部を、カバー体に突片を設け、引っ掛け突起が引っ掛け部に係合し、突片が受け部に勘合することで、本体をカバー体で施蓋するため、カバー体を開放した状態では、左右側板がなく取り付け作業、配線作業等、施工がしやすくなる。カバー体は下方へ下げて開けるため壁面の天井付近にも設置が可能になる。カバー体はスライド動作により開放できるので、高所でもカバー体の開閉が楽にでき安全に作業できる。本体をカバー体で施蓋した状態で保持することができる。
【発明を実施するための最良の形態】
【０００９】
本発明に係る機器収納キャビネットの実施例を図１〜図８の添付図面に基いて説明する。
【００１０】
機器収納キャビネット１は、機器２を取り付ける本体３と、本体３を施蓋するカバー体４とから成る。
【００１１】
本体３は、背板５と天板６、底板７とから構成され左右側面は設けず、側面から見て略コ字状に形成する。本体３の左右両端部にはカバー体４を支持する曲げ部８を形成する。曲げ部８には外側にレール９を形成する。また、本体３の天板６の端辺に引っ掛け部１０を左右両端辺の略中央部に受け部１１を設ける。
【００１２】
カバー体４は、本体３の前面と側面とを施蓋できるように、上面または下面からみて略コ字状に形成する。カバー体４の側面端辺の上部には、スライドナット１２を設ける。カバー体４の上端部略中央には引っ掛け突起１３を設ける。本体３にカバー体４を閉じた状態で、本体３に設けた受け部１１に対向する位置に突片１４を設ける。
【００１３】
本体３の底板７から天板６に向かって、本体３に設けられたレール９にカバー体４のスライドナット１１を挿通する。カバー体４を本体３が施蓋するように上までスライド動作により引き上げた後、キャビネット１の奥行き方向にカバー体４を押し、本体３に設けた受け部１１にカバー体４の突片１４が勘合することで、カバー体４が本体３に仮止めされる。カバー体４には錠１５を設けることもでき、本発明に係る機器収納キャビネット１は施錠も可能である。
【００１４】
本体３には機器取り付けレール１６を敷設し、機器取り付けレール１６にアングル１７を立設する。アングル１７に機器２を固定して機器収納キャビネット１に収納する。機器収納キャビネット１は側面を持たないため、機器２の取り付け作業や、配線作業のための作業スペースが機器収納キャビネット１の外で確保でき、大変作業がしやすくなる。
【００１５】
カバー体４の前面には把手１８を設けることも可能である。カバー体４はスライド移動により開閉するため、カバー体４の動作を把手１８を持って行うことで作業しやすくなる。
【００１６】
本発明に係る機器収納キャビネットは上記形状に限定されるものではなく、例えば、図８に示すように本体１９に設けるレール２０をテーパ状に設けてもよい。カバー体（図示せず）を開ける時、テーパ状にレール２０が設けられていると、カバー体（図示せず）が急激に下がらずにゆっくりと移動させることができ安全である。
【産業上の利用可能性】
【００１７】
略コ字状に形成された本体とカバー体とで機器収納キャビネットを構成し、カバー体を本体の下方に向かって開放することにより、従来高所に取り付けられていた機器収納キャビネットの扉体を前面の作業者の方向に開いていた危険性がなくなり、内部に収納される電気機器のメンテナンス作業も安全に且つ容易に行うことができる。
【図面の簡単な説明】
【００１８】
【図１】本発明に係る機器収納キャビネットの実施例を示す説明図である。（実施例１）
【図２】図１における機器収納キャビネットのカバー体を閉めた状態を示す説明図である。（実施例１）
【図３】本発明に係る機器収納キャビネットの本体を示す説明図である。（実施例１）
【図４】本発明に係る機器収納キャビネットのカバー体を示す説明図である。（実施例１）
【図５】図４におけるスライドナットの取り付け状態を示す説明図である。（実施例１）
【図６】図４における引っ掛け突起を示す説明図である。（実施例１）
【図７】本体とカバー体との勘合構造を示す説明図である。（実施例１）
【図８】本発明に係る機器収納キャビネットの第二実施例を示す説明図である。（実施例２）
【図９】従来の機器収納キャビネットを示す説明図である。
【符号の説明】
【００１９】
１    機器収納キャビネット
２    機器
３    本体
４    カバー体
５    背板
６    天板
７    底板
８    曲げ部
９    レール
１０  引っ掛け部
１１  受け部
１２  スライドナット
１３  引っ掛け突起
１４  突片
１５  錠
１６  機器取り付けレール
１７  アングル
１８  把手
１９  本体
２０  レール
【図１】
2007329145.tif 000003
【図２】
2007329145.tif 000004
【図３】
2007329145.tif 000005
【図４】
2007329145.tif 000006
【図５】
2007329145.tif 000007
【図６】
2007329145.tif 000008
【図７】
2007329145.tif 000009
【図８】
2007329145.tif 000010
【図９】
2007329145.tif 000011